(57)【特許請求の範囲】
【請求項１】
上部が下部よりも外方に位置するように側壁を形成する上方開放の植栽コンテナであって、該側壁の下端近傍に、若しくは底部から下方に突出して形成する支持脚に、該側壁下端よりも外方へ突出する補助脚が設けられ、該補助脚の外方の先端部が前記側壁の上端よりも内側の位置若しくは前記側壁上端と平面視同一位置まで突出していることを特徴とする植栽コンテナ。
【請求項２】
前記補助脚と支持脚が平面視板状であり、補助脚の幅を支持脚の幅よりも厚くすることを特徴とする請求項１記載の植栽コンテナ。
【請求項３】
前記植栽コンテナの底部から上方へ突出する柱状部材を有し、該柱状部材と平面視で対応する位置に形成された支持脚に、前記補助脚が設けられていることを特徴とする請求項１又は２記載の植栽コンテナ。
【請求項４】
請求項１〜３の何れかに記載の植栽コンテナを貯水トレー内に載置し、前記補助脚の外方端部と貯水トレーの側壁との接触により、植栽コンテナの横方向への移動を規制することを特徴とする植栽ユニット。
【請求項５】
請求項１〜３の何れかに記載の植栽コンテナを貯水トレー内に載置する植栽ユニットを複数並設する植栽設備であって、隣り合う植栽コンテナの側壁間に形成される空間に配管を配設し、該配管を植栽コンテナの補助脚で支持することを特徴とする植栽設備。
【請求項６】
上部が下部よりも外方に位置するように側壁を形成する上方開放の植栽コンテナを敷設面に複数並設して敷設する植栽設備であって、該植栽コンテナは、その側壁の下端近傍に、若しくは底部から下方に突出して形成する支持脚を有し、該支持脚には、該側壁下端よりも外方へ突出する補助脚が設けられ、該敷設した状態で、隣接配置される該植栽コンテナの該補助脚同士が干渉しないようになっていることを特徴とする植栽設備。
【発明の詳細な説明】
【技術分野】
【０００１】
本発明は、例えばビルの屋上、テラス、ベランダ、折板屋根等の緑化に用いられる植栽コンテナ、植栽ユニット及び植栽設備に関する。
【背景技術】
【０００２】
現代社会における都市部には自然が不足しているが、人間の自然に対する希求に応えて自然不足を補うべく、都市部における緑化対策が図られている。かかる緑化対策は、例えばビルの屋上、ベランダ、テラスなど人工地盤や、折板屋根など建物の屋根等を人工的に緑化することで行われている。緑化対策に用いられる植栽設備には様々なものがあるが、施工性の良さから、植栽コンテナを並べて敷設面に敷設する植栽設備が主流になりつつある。
【０００３】
前記植栽コンテナを並べて敷設面に敷設する植栽設備を開示している先行技術文献に特許文献１がある。特許文献１には、上方開放の容器本体と、床面に配置される配管と係合するように容器本体の底部に一体形成された係合部と、配管と連通するように係合部に対応して容器本体の底部に開口した導通口と、容器本体内の下部の保水部と上部の植栽部とを上下に仕切る仕切体を具備するプランター（植栽コンテナ）で、側壁上部よりも下部が内方に位置するように段部を形成し、前記段部に仕切体を載置する構成が開示されている。
【０００４】
【特許文献１】特開平１０−２１５６８７号
【発明の開示】
【発明が解決しようとする課題】
【０００５】
ところで、特許文献１の植栽コンテナは、側壁上部が側壁下部よりも外方に突出して形成されているため、側壁の上端や側壁の四隅等に、踏圧など上方から大きな荷重が加わると植栽コンテナが転倒する虞がある。そのため、斯様な植栽コンテナの転倒の危険性を無くすことができる植栽コンテナが求められている。
本発明は上記課題に鑑み提案するものであって、側壁の上端や側壁の隅部等に踏圧など上方から大きな荷重が加わった際の転倒を防止することができ、設置状態の安定性が高い植栽コンテナ、植栽ユニット及び植栽設備を提供することを目的とする。
【課題を解決するための手段】
【０００６】
本発明の植栽コンテナは、上部が下部よりも外方に位置するように側壁を形成する上方開放の植栽コンテナであって、該側壁の下端近傍に、若しくは底部から下方に突出して形成する支持脚に、該側壁下端よりも外方へ突出する補助脚が設けられ、該補助脚の外方の先端部が前記側壁の上端よりも内側の位置若しくは前記側壁上端と平面視同一位置まで突出していることを特徴とする。例えば側壁の下側で下方に突出する支持脚など全部若しくは一部の支持脚に、側壁下端よりも外方へ突出する補助脚を設ける。前記補助脚は、側壁下端近傍位置の側壁に或いは支持脚に一体形成する、或いは別体の部材を固定部材による固定、接着、係着等で設けることが可能である。尚、植栽コンテナは、例えば貯水トレー等の貯水部若しくは保水シート等の保水部に載置して使用する、或いはそのまま使用する貯水部を有しないものの他、植栽コンテナの下部に仕切板等で仕切られて貯水部が設けられるもの等とすることが可能である。前記構成の他、例えば植栽コンテナの一方の隣り合う側壁と他方の隣り合う側壁、或いは一方の対向する隅部と他方の対向する隅部のそれぞれの下部に形成される補助脚の形状や位置を異ならせて、補助脚の外方の端部が側壁上端よりも外側の位置になるように全部若しくは一部の支持脚に補助脚を設け、その植栽コンテナを一定の向きになるように並設し、一の植栽コンテナの補助脚の先端凸部を隣りに並設する他の植栽コンテナの補助脚に先端凹部に係合する、或いは一の植栽コンテナの補助脚を隣りに並設する他の植栽コンテナの補助脚と接触しないようにすること等が可能である。
また、本発明の植栽コンテナは、前記補助脚と支持脚が平面視板状であり、補助脚の幅を支持脚の幅よりも厚くすることを特徴とする。例えば平板状で平面視Ｉ字形等の補助脚の肉厚を、平板状で平面視Ｉ字形若しくはＬ字形等の支持脚の肉厚を厚くし、補助脚の幅を支持脚の幅よりも厚くする。また、補助脚は、支持脚の上端近傍から所定距離下方へ傾斜する傾斜面を有する台形状等のものや、或いは外方へ向かって幅が広がるもの等としても良好である。
また、本発明の植栽コンテナは、前記植栽コンテナの底部から上方へ突出する柱状部材を有し、該柱状部材と平面視で対応する位置に形成された支持脚に、前記補助脚が設けられていることを特徴とする。
また、本発明の植栽ユニットは、植栽コンテナを貯水トレー内に載置し、前記補助脚の外方端部と貯水トレーの側壁との接触により、植栽コンテナの横方向への移動を規制することを特徴とする。例えば３個、４個若しくはそれ以上の複数の補助脚の外方端部が載置状態で貯水トレーの側壁内端より僅かに内側に配置される構成、或いは前記複数の補助脚の外方端部が載置状態で貯水トレーの側壁内端や内面に略当接する構成、或いは複数の補助脚の外方端部が貯水トレーの側壁内面に係合される構成等とすることが可能である。
また、本発明の植栽設備は、植栽コンテナを貯水トレー内に載置する植栽ユニットを複数並設する植栽設備であって、隣り合う植栽コンテナの側壁間に形成される空間に配管を配設し、補助脚を配管の下側に配置する等により、該配管を植栽コンテナの補助脚で支持することを特徴とする。前記構成の他、補助脚を配管の下方或いは側方に配置し、配管を貯水トレーの側壁で支持する構成等とすることが可能である。
また、本発明の植栽設備は、上部が下部よりも外方に位置するように側壁を形成する上方開放の植栽コンテナを敷設面に複数並設して敷設する植栽設備であって、該植栽コンテナは、その側壁の下端近傍に、若しくは底部から下方に突出して形成する支持脚を有し、該支持脚には、該側壁下端よりも外方へ突出する補助脚が設けられ、該敷設した状態で、隣接配置される該植栽コンテナの該補助脚同士が干渉しないようになっていることを特徴とする。
尚、本願の発明には、各発明や実施例の部分的な構成を他の発明や実施例等の構成に変更し、或いは各発明や実施例の構成に他の構成を付加し、或いは各発明や実施例の部分的な構成を部分的な作用効果が得られる限度で削除して上位概念化したものも含まれる。
【発明の効果】
【０００７】
本発明は、側壁の上部が下部よりも外方に位置する植栽コンテナに側壁下端より外方へ突出する補助脚を設けることにより、支持強度を補強することができ、側壁の上端や側壁の隅部等に踏圧など上方から大きな荷重が加わった場合の転倒を防止し、植栽コンテナ等の設置状態の安定性を高めることができる。
また、補助脚の外方端部が側壁上端よりも内側の位置や側壁上端と同一位置になるように補助脚を設けることで、隣接配置される植栽コンテナの補助脚同士が干渉することが無くなる。
また、補助脚の幅を支持脚の幅よりも厚くすることで、支持強度の補強をより強化することができる。
また、植栽コンテナの柱状部材と平面視で対応する位置に形成する支持脚に補助脚を設けることで、植栽コンテナ内に踏圧など上方から大きな荷重が加わった際の支持強度を強化することができる。
また、補助脚の外方端部と貯水トレーの側壁との接触により、植栽コンテナの横方向への移動を規制し、貯水トレー内で植栽コンテナを位置決めすることができる。
【０００８】
また、補助脚で配管を支持することにより、配管を支持する部材を別途用意する必要が無くなり、コストダウンを図ることができる。
【発明を実施するための最良の形態】
【０００９】
以下、本発明について実施例の植栽コンテナに基づき説明するが、本発明は以下の実施例や例示に限定されるものではなく、各実施例や例示の構成を適宜組み合わせたものも本発明に含まれる。
【実施例１】
【００１０】
第１実施例の植栽コンテナ１０は、図１に示すように、底部である平面視方形の底板１１と側壁１２で構成される上方開放の略箱形であり、側壁１２は底板１１から上方へ向かってテーパ状に広がるように形成され、側壁１２の上端１２ａが下端１２ｂよりも外方に位置している。底板１１には、４辺の側壁１２のそれぞれの略中央に板状で底面視略Ｉ字形の支持脚１３１が下方に突出し且つ底板１１の辺に沿って形成され、隅部に板状で底面視略Ｌ字形の支持脚１３２が下方に突出し且つ底板１１の隅部に沿って形成されており、四隅の支持脚１３２の角部には底板１１の対角線方向に外方へ突出する板状の補助脚１４が一体形成されている。補助脚１４は、外方に向かうに従い支持脚１３２の上端から漸次低くなる傾斜面の傾斜部１４ａを上面とする略台形であり、補助脚１４の先端部１４ｂは側壁上端１２ａよりも内側に位置し、且つ側壁下端１２ｂよりも外側に位置しており、側壁下端１２ｂから側壁上端１２ａまでの水平方向の距離Ｓ＞側壁下端１２ｂから補助脚先端部１４ｂまでの水平方向の距離Ｔになっている。補助脚１４の肉厚は、支持脚１３１或いは支持脚１３２の肉厚よりも厚く形成されている。更に、底板１１には、スリット状の通水兼通気孔１５が複数形成されており、通水兼通気孔１５は植栽コンテナ１０内の余剰水の排水と新鮮な空気を植物２３の根へ送る機能を担う。
【００１１】
前記植栽コンテナ１０内には、育成材２１を充填し、育成材２１上に切芝等の植物２３を有する植栽マット２２を載置して植栽する、或いは育成材２１に植物２３を植栽する。使用する育成材２１は適宜であるが、屋上或いはベランダ等に植栽コンテナ１０を敷設する場合には出来るだけ軽量なものが好ましく、例えばパーライト、バーミキュライト、ピートモス、バーク堆肥、チャフコン、木質腐朽有機物、ゼオライト等、建築廃材、下水又は浄水汚泥等、或いは椰子繊維等を用いる。また、前記例示の育成材の内の数種類や、必要に応じて根腐れ防止用の珪酸塩白土などを植栽の種類、環境などに応じて適宜選定し、これを保水性、排水性、通気性を良好にするためバランスよく配合した軽量育成材等としてもよく、斯様な通気性等が良好な軽量育成材を採用することにより、植物２３の根が傷むことを防止できる。更に、軽量育成材による荷重は例えば従来の客土の約１／３程度であり、軽量育成材を用いることで敷設面４０への荷重付加を軽減することができる。また、植物２３には、芝生など地被植物等とすると、踏圧に耐えられ植栽コンテナ１０内に人が出入り可能になって好適であるが、セダムなどの多肉植物、コケ、蔓性植物、樹木や花など適宜選択して使用するなど、適宜の植物を用いることが可能である。
【００１２】
植栽コンテナ１０を並設して植栽設備を構成する場合には、例えば敷設面４０に複数の植栽コンテナ１０を縦横に隣接するように並べて敷設する。植栽コンテナ４０を敷設した際には、植栽コンテナ１０の支持脚１３１、１３２の下面に加えて補助脚１４の下面が敷設面４０に略面接触し、植栽コンテナ１０は敷設面４０に安定して設置される。尚、植栽コンテナ１０への育成材２１の充填や植栽は、植栽コンテナ１０の敷設面４０への並設後としてもよく、又、植栽コンテナ４０を順次並設しつつ、並設が完了した植栽コンテナ４０に順次育成材１０６の充填と植栽を施す等の順序で施工してもよく、適宜の手順で施工することが可能である。
【００１３】
上記第１実施例の植栽コンテナ１０は、植栽コンテナ側壁１２の略中央部や隅部に於ける側壁上端１２ａの近傍、或いは植栽設備で隣り合う植栽コンテナ１０・１０の側壁１２・１２相互で形成される空間の上側に位置する側壁上端１２ａの近傍に、例えば人が立ち入った場合の踏圧など大きな荷重が負荷された場合に、補助脚１４の補強による高い強度で支持することができ、植栽コンテナ１０の転倒を防止することができる。更に、補助脚１４を支持脚１３１或いは支持脚１３２或いはその両者よりも幅広で形成することにより、より支持強度を高め、設置状態の安定性を一層高めることができる。
【実施例２】
【００１４】
次に、第２実施例の植栽コンテナ１０等について、上記第１実施例と異なる箇所の詳細を説明する。
【００１５】
第２実施例の植栽コンテナ１０は、図２に示すように、基本的な構成は第１実施例と同様であるが、底面視略Ｉ字形の支持脚１３１の略中央に、底板１１の辺と垂直方向に外方へ突出して板状の補助脚１４１が形成されている。補助脚１４１の形状及び形成位置は上記第１実施例で述べた補助脚１４と同一であり、傾斜面の傾斜部１４１ａ、先端部１４１ｂを有し、補助脚先端部１４１ｂは側壁上端１２ａよりも内側に位置し、且つ側壁下端１２ｂよりも外側に位置する。更に、底板１１には、中空で上方開放の吸水凸部１６が支持脚１３１、１３２より若干短い長さで下方に突出形成され、吸水凸部１６の下端面１６ａにはスリット状の吸水孔１７が複数形成されている。植栽コンテナ１０内の雨水や潅水等による余剰水は、前記吸水孔１７及び通水兼通気孔１５から後述する貯水トレー３０内に排出され、植栽コンテナ１０内の育成材２１内の水分が少なくなると、貯水トレー３０の貯水が育成材２１の毛細管現象により吸水孔１７から植物２３の根へ導かれるようになっている。
【００１６】
本例の植栽コンテナ１０の下方には、図３に示す貯水トレー３０が設けられ、植栽ユニットが構成される。貯水トレー３０は、底部である平面視方形の底板３１と側壁３２で構成される上方開放の略箱形であり、側壁３２は底板３１から上方へ向かってテーパ状に広がるように形成されている。貯水トレー３０内に植栽コンテナ１０を載置した状態では、図４に示すように、吸水凸部１６の下端面１６ａが貯水トレー底板３１の上面より上方に配置され、貯水トレー３０内の水分の表面張力等による吸水の不具合を防止可能である。また、貯水トレー３０の側壁３２の高さは支持脚１３１、１３２の高さより低く、貯水トレー３０の貯水可能な上限水位よりも植栽コンテナ底板１１が上方に配置され、前記上限水位の場合でも底板１１と水面との間に常時空気層が形成され、新鮮な空気を通水兼通気孔１５から植物２３の根へ供給して根腐れを防止し、長期に亘る植物２３の良好な育成が可能である。また、補助脚１４の外方の先端部１４ｂが、貯水トレー底板３１の隅部で立ち上がる側壁３２・３２よりも僅かに内側に位置するように構成され、側壁３２・３２で構成される各隅部に各先端部１４ｂが近接或いは略当接し、植栽コンテナ１０の貯水トレー３０内での横方向への移動やズレが規制されるようになっており、貯水トレー３０の四隅と前記四隅に配置される補助脚先端部１４ｂとで植栽コンテナ１０と貯水トレー３０とが位置決めされ、又、本例では補助脚１４１の先端部１４１ｂも側壁３２に近接或いは略当接し、植栽コンテナ１０の貯水トレー３０内での横方向への移動を規制している。
【００１７】
上記植栽コンテナ１０と貯水トレー３０で構成される植栽ユニットにより植栽設備を構成する場合には、例えば敷設面４０に複数の貯水トレー３０を縦横に隣接するように並べて敷設し、敷設した各貯水トレー３０内に育成材２１を充填して植栽を施した植栽コンテナ１０を載置して、植栽設備を形成する（図４参照）。尚、前記植栽コンテナ１０と貯水トレー３０で植栽設備を施工する手順は適宜であり、例えば貯水トレー３０上に植栽コンテナ１０を載置した植栽ユニットを敷設面４０に並設するようにすることも可能である。
【００１８】
上記第２実施例の植栽コンテナ１０等は、上記第１実施例と同様の効果が得られると共に、水の管理が容易となり水道費を節約することができる。更に、補助脚先端部１４ｂと隅部に於ける貯水トレー側壁３２の接触により、植栽コンテナ１０と貯水トレー３０を位置決めすることが可能であり、植栽ユニットや植栽設備の設置状態の安定性をより高めることができる。
【実施例３】
【００１９】
次に、第３実施例の植栽コンテナ１０等について、上記第１及び第２実施例と異なる箇所の詳細を説明する。
【００２０】
第３実施例の植栽コンテナ１０は、図５に示すように、側壁１２の中間部から下部にかけて内向きに凹んだ内向きへこみ部１８が形成されて、側壁上端１２ａが側壁下端１２ｂよりも外方に位置している。本例の植栽コンテナ１０の他の構成は第２実施例と同様であり、又、第２実施例と同様に貯水トレー３０上に載置されて植栽ユニットを構成し、育成材２１を充填され、植栽を施される。
【００２１】
前記植栽ユニットを敷設面４０に縦横に隣接するように並べて敷設して植栽設備を構成した際には、植栽コンテナ側壁１２・１２の内向きへこみ部１８・１８相互間で、且つ貯水トレー３０・３０の上方に空間が形成され、前記空間に多孔質パイプ或いは浸み出しパイプ等の給水管５０を配設可能である（図５参照）。給水管５０は、例えば貯水トレー３０の側壁３２の上端で支持する等により設置される。本例の潅水方式は所謂底面潅水方式であり、給水管５０で供給される給水が貯水トレー３０内に流れ込んで貯水され、貯水トレー３０内の水分が育成材２１の毛細管現象により吸水孔１７から植物２３の根へ導かれる。また、本例の植栽設備では、補助脚１４、１４１の先端部１４ｂ、１４１ｂ近傍部分が貯水トレー側壁３２の上端よりも下方に位置するように構成され、補助脚１４、１４１の給水管５０への接触を防ぎ、給水管５０の配設の障害にならないようになっている。
【００２２】
上記第３実施例の植栽コンテナ１０等は、上記第１及び第２実施例と同様の効果が得られると共に、給水管５０を植栽コンテナ１０・１０相互間に隠して配設可能であり、美観に優れた緑化エリアを構築することができる。また、補助脚１４、１４１が存在するにもかかわらず、給水管５０の配設空間を確実に確保することができる。尚、第２実施例の植栽コンテナ１０のテーパ状の側壁１２の傾斜角度を適宜調整して、前記側壁１２・１２相互間の空間に給水管５０を配設する等により、第２実施例でも同様の効果を得ることが可能である。
【実施例４】
【００２３】
次に、第４実施例の植栽コンテナ１０等について、上記第１乃至第３実施例と異なる箇所の詳細を説明する。
【００２４】
第４実施例の植栽コンテナ１０は、図６に示すように、第３実施例と基本的な構成は同一であるが、底面視略Ｉ字形の支持脚１３１が外方に突出する補助脚１４２の形状が異なる。補助脚１４２は、支持脚１３１の上端から水平に外方へ延びる水平面である水平部１４２ａと、水平部１４２ａの先端から円弧状に切り欠かれ、給水管５０の外形に略沿った形状の支持部１４２ｃと、支持部１４２ｃの下端から垂下する垂直面である先端部１４２ｂを有する概略台形状である。また、貯水トレー３０の形状は第３実施例と同様であるが、側壁３２の高さが低く形成され、側壁３２の上端は先端部１４２ｂの上端、即ち、支持部１４２ｃの下端よりも低くなっている。
前記植栽コンテナ１０と貯水トレー３０で構成される植栽ユニットを敷設面４０に縦横に隣接するように並べて敷設し、育成材２１の充填や植栽を施して植栽設備を構成する際には、植栽コンテナ側壁１２・１２の内向きへこみ部１８・１８相互間で、且つ貯水トレー２０・２０の上方に空間が形成され、前記空間に多孔質パイプ或いは浸み出しパイプ等の給水管５０を配設可能である（図６（ｅ）参照）。そして、本例では、前記空間に於いて、補助脚１４２の水平部１４２ａ、支持部１４２ｃ、先端部１４２ｂの上部が貯水トレー３０の側壁３２の上端よりも上方に位置し、配設される給水管５０は隣り合う一対の支持部１４２ｃ・１４２ｃに係合するように載置され、支持部１４２ｃ・１４２ｃで支持される。
上記第４実施例の植栽コンテナ１０等は、上記第１乃至第３実施例と同様の効果が得られると共に、給水管５０を安定した状態で設置することが可能である。従って、給水管５０の両側の貯水トレー３０・３０に安定して給水することができ、植栽設備の局部的な給水不良による枯れ等を防止することができる。
【実施例５】
【００２５】
次に、第５実施例の植栽コンテナ１０等について、上記第１乃至第４実施例と異なる箇所の詳細を説明する。
【００２６】
第５実施例の植栽コンテナ１０は、図７に示すように、平面視方形の底板１１と側壁１２で構成される上方開放の略箱形であり、上記実施例と同様の複数のスリット状の通水兼通気孔１５、側壁１２に形成された内向きへこみ部１８を有する。また、底板１１には、板状で底面視略十字形の支持脚１３３、板状で底面視略Ｆ字形の支持脚１３４、板状で底面視略Ｌ字形の支持脚１３５が下方に突出形成され、支持脚１３４は底板１１の４辺の略中央に前記４辺に略沿った位置に形成され、支持脚１３５は底板１１の四隅に形成されている。
断面視略Ｆ字形の支持脚１３４には底板１１の辺と垂直方向に外方へ突出する板状の第１補助脚１４３が形成され、底面視略Ｌ字形の支持脚１３５には底板１１の対角線方向に外方へ突出する板状の第２補助脚１４４が形成されている。第１補助脚１４３は、支持脚１３４の中央より下側の部分から外方に水平に延びる水平面の水平部１４３ａと、水平部１４３ａの外端から垂下する垂直面の先端部１４３ｂを有する断面略長方形である。第２補助脚１４４の形状は第１実施例の補助脚１４と同様であり、外方へ向かって低くなるように傾斜する傾斜面の傾斜部１４４ａと、傾斜部１４４ａの外端から垂下する垂直面の先端部１４４ｂを有する断面視略台形の横置き形状であるが、底面視略Ｌ字形の支持脚１３５の隅部に於いて、支持脚１３５の高さ方向の中央部近傍の位置から傾斜部１４４ａが外方へ延びている。
更に、平面視略十字形の底板柱状部材１９１が底板１１から上方へ向かって複数立設され、平面視略十字形の側壁柱状部材１９２と平面視略Ｉ字形の側壁柱状部材１９３とが底板１１から側壁１２に沿うように各複数立設されており、底板柱状部材１９１、側壁柱状部材１９２、１９３は側壁上端１２ａと略同一高さに形成され、柱状部材１９１、１９２、１９３や側壁１２で上方からの踏圧等の荷重を支持可能である。また、柱状部材１９１、１９２、１９３の一部と支持脚１３３、１３４、１３５の一部は平面視略同一位置に形成されており、敷設面４０上に設けられる平面視略同一位置の柱状部材１９１、１９２、１９３及び底板１１及び支持脚１３３、１３４、１３５で、上方からの荷重を直線的に高強度で支持可能である。また、隣り合う２辺の側壁１２・１２の各上端１２ａ・１２ａには、外方に突出する水平片１２ｃがそれぞれ形成され、複数の植栽コンテナ１０を並べて敷設した際に、隣り合う植栽コンテナ１０・１０に於いて、一の植栽コンテナ１０の水平片１２ｃが隣の植栽コンテナ１０の側壁上端１２ａ或いは側壁１２の上端近傍を覆うようになっており、前記水平片１２ｃで側壁上端１２ａ・１２ａ相互間など植栽コンテナ１０・１０相互間に生ずる隙間を塞ぎ、隙間からの育成材２１の落下等を防止可能である。尚、本例の植栽コンテナ１０にも育成材２１が充填され、植栽が施されると共に、敷設面４０に複数敷設されて植栽設備を構成する。
上記第５実施例の植栽コンテナ１０等は、第１実施例と同様の効果が得られると共に、柱状部材１９１、１９２、１９３の上方から負荷される荷重を柱状部材１９１、１９２、１９３や敷設面４０等で直線的に高強度で支持することができ、植栽コンテナ１０等の設置状態をより安定化することができる。更に、柱状部材１９２、１９３や側壁１２と平面視略同一位置或いは平面視で対応する位置にある支持脚１３４、１３５から外方へ突出する補助脚１４３、１４４が形成されていることから、上方から負荷される荷重を補助脚１４３、１４４にも担わせることが可能であり、一層支持強度や安定性を増すことができる。また、上方からの踏圧等の荷重支持を柱状部材１９１〜１９３、側壁１２、補助脚１４３、１４４等が常時担うので、植栽コンテナ１０内の植栽面の平面的な状態を安定して長期に亘り維持することができる。また、上方から様々な方向や位置で荷重が負荷された場合でも確実に支持でき、植栽コンテナ１０の転倒防止を図ることができる。
【００２７】
以上、本発明の第１〜第５実施例について説明したが、本発明はその他に、例えば以下のような拡張や変形を包含する。
【００２８】
上記実施例では、平面視略正方形の植栽コンテナ１０について説明したが、本発明は植栽コンテナの平面視形状は適宜であり、例えば平面視で三角形、長方形、六角形などの多角形状、或いは円形、楕円形等とすることが可能である。
【００２９】
また、本発明に於ける補助脚の形状や配設する位置等の構成も、支持脚から外方に突出する構成等の上記実施例の構成に限定されるものではなく、必要な支持強度等に応じて適宜の補助脚やその設置構成を用いることができる。例えば図８（ａ）に示すように、側壁１２から外方へ向かって下方に傾斜する傾斜部１４０１ａと、傾斜部１４０１ａの外方先端から垂下する先端部１４０１ｂとを有し、外方に突出する板状やブロック状の補助脚１４０１とし、補助脚１４０１を側壁１２に沿って若しくは側壁１２と支持脚１３１、１３２等に沿って一体形成若しくは固着する構成や、図８（ｂ）に示すように、側壁１２の外面の所定位置から下方に垂下する先端部１４０２ｂを有する補助脚１４０２とし、補助脚１４０２を側壁１２に沿って若しくは側壁１２と支持脚１３１、１３２等に沿って一体形成若しくは固着する構成等としても、高強度の支持力が得られる補助脚とすることができる。
【００３０】
また、補助脚が設けられる支持脚は、側壁下端１２ｂから下方に延びて突出する支持脚に限定されず、例えば図８（ｃ）〜図８（ｆ）に示すように、側壁下端１２ｂより内側の位置で下方に延びて突出する支持脚１３１、１３２等としてもよい。そして、図８（ｃ）の補助脚１４０３は、支持脚１３１等の略中間の高さから外方へ突出する傾斜部１４０３ａと垂直面の先端部１４０３ｂとを有する構成であり、図８（ｄ）の補助脚１４０４は、側壁１２の略中央から外方へ水平に突出する水平部１４０４ａと垂直面の先端部１４０４ｂとを有し、側壁１２と底板１１と支持脚１３１等に沿って一体形成若しくは固着される構成であり、図８（ｅ）の補助脚１４０５は、側壁１２の略中央より下側の所定位置から外方へ突出する水平部１４０５ａと垂直面の先端部１４０５ｂとを有する正面視略Ｌ字形の板状若しくはブロック状等で、内方への屈曲部１４０５ｃの内端が側壁１２に当接するように一体形成若しくは固着される構成であり、図８（ｆ）の補助脚１４０６は、支持脚１３１等の上部から外方へ突出する水平部１４０６ａと垂直面の先端部１４０６ｂとを有する正面視略Ｌ字形の板状若しくはブロック状等で、内方への屈曲部１４０６ｃの内端が支持脚１３１等に当接するように一体形成若しくは固着される構成である。尚、図８（ｅ）、（ｆ）の補助脚１４０５、１４０６のように、補助脚の外方への突出長さ全体に亘って敷設面４０に面接触する構成でなくともよい。
【００３１】
また、適宜の底面視形状の補助脚を用いることが可能であり、例えば図９（ａ）の補助脚１４０７のように、外端に向かって肉厚が漸次薄くなる底面視テーパ状とする構成や、図９（ｂ）の補助脚１４０８のように、底面視Ｌ字形の支持脚１３２の交点から支持脚１３２の側板をそのまま延設する底面視Ｌ字形とし、支持脚１３２と補助脚１４０８の全体で底面視略十字形とする構成や、図９（ｃ）の補助脚１４０９のように、底面視Ｌ字形の支持脚１３２の交点からテーパ状に外方へ向かって広がる略三角形とする構成や、図９（ｄ）の補助脚１４１０のように、底面視Ｌ字形の支持脚１３２の交点から外方へ突出する細幅の根本部１４１０ａと根本部１４１０ａの先端から分岐する分岐部１４１０ｂとを有する熊手状とする構成や、図９（ｅ）の補助脚１４１１のように、底面視Ｌ字形の支持脚１３２の交点から外方へ突出する太幅の根本部１４１１ａと根本部１４１１ａの先端で分岐する分岐部１４１１ｂとを有する熊手状とする構成や、図９（ｆ）の補助脚１４１２のように、楕円形の円弧状で底板１１の対角線方向を凸にして突出する構成等とすることが可能である。
【００３２】
また、補助脚を植栽コンテナ１０の側壁１２や支持脚１３１、１３２等に一体形成或いは固着する構成以外に、嵌合など係合や係止等で設置する構成としてもよく、例えば図１０（ａ）のように、外方へ向かって漸次低くなるように傾斜する傾斜面の傾斜部１４１３ａと垂直面の先端部１４１３ｂとを有する平面視略Ｌ字形で、内面近傍に上方開放で平面視略Ｌ字形の溝１４１３ｃが形成されている補助脚１４１３を用い、底面視略Ｌ字形の支持脚１３２を溝１４１３ｃに嵌合する等により溝１４１３ｃ内に配置して補助脚１４１３を設置する構成や、平面視Ｉ字形の同様の溝が内面近傍に形成された補助脚に底面視Ｉ字形の支持脚１３１を嵌合する等で前記溝内に配置する構成や、図１０（ｂ）のように、敷設面４０と略面接触する下板１４１４ａと支持壁１４１４ｂと支持板１４１４ｃを有し、支持板１４１４ｃが側壁１２の下端近傍に於ける側壁１２と底板１２の形状に倣う正面視略く字形の形状で形成されている補助脚１４１４を用い、支持板１４１４ｃを前記側壁１２の下端近傍に於いて側壁１２と底板１１に略面接触させて設置する構成や、図１０（ｃ）のように、下板１４１５ａと支持壁１４１５ｂと当接板１４１５ｃとを有し、当接板１４１５ｃが側壁１２若しくは支持脚１３１、１３２等に倣う形状に形成され、当接板１４１５ｃから突出する略茸状の係合突起１４１５ｄが形成されている補助脚１４１５を用い、側壁１２若しくは支持脚１３１、１３２等に形成された係合孔１２ｄに係合突起１４１５ｄを係合し、且つ当接板１４１５ｃを側壁１２若しくは支持脚１３１、１３２等に面接触させて補助脚１４１５を設置する構成等とすることが可能である。
【００３３】
また、補助脚の先端部或いは端縁は、植栽コンテナ１０の側壁上端１２ａより内側の位置まで突出する構成とする他に、側壁上端１２ａと平面視同一位置まで外方へ突出する構成とすることも可能であり、前記構成により植栽コンテナ１０や植栽設備等の設置状態の安定性が強化される。また、補助脚の個数や突出箇所も上記実施例に限定されず、様々な箇所や個数で外方へ突出するように設けることが可能であるが、例えば平面視方形の植栽コンテナに於いては、第１実施例の補助脚１４のように四隅から外方へ突出する構成とすると、少ない数の補助脚で転倒防止を図れて好適である。
【００３４】
また、本発明の植栽コンテナは、全ての側壁の下端が側壁上端よりも内方に位置する構成に限定されず、植栽コンテナの一部の側壁のみが内方に位置する場合も含み、更に、例えば略円筒形で底板と側壁に相当する周壁を有する上方開放の植栽コンテナの場合に、周壁（側壁）の一部が内方に位置する場合も含む。また、本発明は、貯水トレー３０等の貯水部に代え、例えば保水シート等の保水部を用い、保水シートの上に形成される内向きへこみ部１８・１８相互間等の配管用の空間に給水管５０を配設する底面潅水構造等とする場合も含む。また、本発明は、配管用空間による配管経路の全体に亘って給水管５０を配設する構成や、配管経路の一部のみに給水管５０を配設する構成や、配管経路に給水管５０を配設しない構成を含み、又、給水管５０に代えて或いは給水管５０と共に、排水管、電線、センサー線等を配設する場合も含む。また、補助脚は中実、中空の何れとすることも可能であり、例えば中空で下面が下方している補助脚とすると、敷設面の不陸を吸収することが可能となってより好適である。
【産業上の利用可能性】
【００３５】
本発明は、例えば屋上、ベランダ、テラス、折板屋根等に設置する植栽設備に利用することができる。
【図面の簡単な説明】
【００３６】
【図１】（ａ）は第１実施例の植栽コンテナの平面図、（ｂ）はその底面図、（ｃ）はその正面図、（ｄ）はそのＡ−Ａ矢視断面図、（ｅ）は第１実施例の植栽コンテナによる植栽設備を示す縦断面図。
【図２】（ａ）は第２実施例の植栽コンテナの平面図、（ｂ）はその底面図、（ｃ）はその正面図、（ｄ）はそのＡ−Ａ矢視断面図。
【図３】（ａ）は第２実施例の貯水トレーの平面図、（ｂ）はその底面図、（ｃ）はその正面図、（ｄ）はそのＡ−Ａ矢視断面図。
【図４】第２実施例の植栽コンテナによる植栽設備を示す縦断説明図。
【図５】第３実施例の植栽コンテナによる植栽設備を示す縦断説明図。
【図６】（ａ）は第４実施例の植栽コンテナの平面図、（ｂ）はその底面図、（ｃ）はその正面図、（ｄ）はそのＡ−Ａ矢視断面図、（ｅ）は第４実施例の植栽コンテナによる植栽設備を示す縦断面説明図。
【図７】（ａ）は第５実施例の植栽コンテナの平面図、（ｂ）はその底面図、（ｃ）はその正面図、（ｄ）はそのＡ−Ａ矢視断面図、（ｅ）はそのＢ−Ｂ矢視断面図。
【図８】（ａ）〜（ｆ）は変形例の補助脚を示す部分縦断面図。
【図９】（ａ）〜（ｆ）は変形例の補助脚を示す部分底面図。
【図１０】（ａ）〜（ｃ）は別体の補助脚の例を示す説明図。
【符号の説明】
【００３７】
１０  植栽コンテナ
１１  底板
１２  側壁
１２ａ  側壁上端
１２ｂ  側壁下端
１３１、１３２、１３３、１３４、１３５  支持脚
１４、１４１、１４２、１４３、１４４、１４０１、１４０２、１４０３、１４０４、１４０５、１４０６、１４０７、１４０８、１４０９、１４１０、１４１１、１４１２、１４１３、１４１４  補助脚
１４ａ、１４１ａ、１４４ａ、１４０１ａ、１４０３ａ、１４１２ａ  傾斜部
１４ｂ、１４１ｂ、１４２ｂ、１４３ｂ、１４４ｂ、１４０１ｂ、１４０２ｂ、１４０３ｂ、１４０４ｂ、１４０５ｂ、１４０６ｂ、１４１２ｂ  先端部
１４２ａ、１４３ａ、１４０４ａ、１４０５ａ、１４０６ａ  水平部
１８  内向きへこみ部
１９１、１９２、１９３  柱状部材
２１  育成材
２２  植栽マット
２３  植物
３０  貯水トレー
３１  底板
３２  側壁
４０  敷設面
５０  給水管
Ｓ  側壁下端から側壁上端までの水平方向の距離
Ｔ  側壁下端から補助脚先端までの水平方向の距離
【図１】
0004828928.tif 000002
【図２】
0004828928.tif 000003
【図３】
0004828928.tif 000004
【図４】
0004828928.tif 000005
【図５】
0004828928.tif 000006
【図６】
0004828928.tif 000007
【図７】
0004828928.tif 000008
【図８】
0004828928.tif 000009
【図９】
0004828928.tif 000010
【図１０】
0004828928.tif 000011